(57)【要約】      （修正有）【課題】色再現性が良好で、目詰まりを生じにくいインクセットを提供する。【解決手段】下記式で表される化合物又はその塩を含むイエロー染料インクと、特定の式で表される化合物又はその塩の１種又は２種以上を含むマゼンタ染料インクと、特定の式で表される化合物又はその塩の１種又は２種以上を含むシアン染料インクとを備えたインクセット。2020122091.tif 000047【選択図】なし【特許請求の範囲】
【請求項１】
下記式（ｙ−１）で表される化合物又はその塩を含む第１インクと、
【化１】
2020122091.tif 000035
・・・（ｙ−１）
下記式（ｍ−１）で表される化合物又はその塩、
【化２】
2020122091.tif 000036
・・・（ｍ−１）
下記式（ｍ−２）で表される化合物又はその塩、
【化３】
2020122091.tif 000037
・・・（ｍ−２）
下記式（ｍ−３）で表される化合物又はその塩、及び、
【化４】
2020122091.tif 000038
・・・（ｍ−３）
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は下記式（ｍ−３’）で表されるアシルアミノ基を表し、Ｒ２、Ｒ４、Ｒ７及びＲ９の少なくとも１つは下記式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
【化５】
2020122091.tif 000039
・・・（ｍ−３’）
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
下記式（ｍ−４）で表される化合物又はその塩、
【化６】
2020122091.tif 000040
・・・（ｍ−４）
の１種又は２種以上を含む、第２インクと、
下記式（ｃ−１）で表される化合物又はその塩、
【化７】
2020122091.tif 000041
・・・（ｃ−１）
（式（ｃ−１）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
下記式（ｃ−２）で表される化合物又はその塩、
【化８】
2020122091.tif 000042
・・・（ｃ−２）
下記式（ｃ−３）で表される化合物又はその塩、
【化９】
2020122091.tif 000043
・・・（ｃ−３）
下記式（ｃ−４）で表される化合物又はその塩、及び、
【化１０】
2020122091.tif 000044
・・・（ｃ−４）
（式（ｃ−４）中、環Ａ、Ｂ、Ｃ、及びＤはそれぞれ独立に芳香性を有する６員環であり、かつ、環Ａ、Ｂ、Ｃ、及びＤの少なくともひとつはピリジン環又はピラジン環である。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる置換基を１乃至４個有してもよい。Ｙはヒドロキシ基又はアミノ基である。ａは、０．０≦ａ≦２．０を満たし、ｂは、０．０≦ｂ≦３．０を満たし、ｃは、０．１≦ｃ≦３．０を満たし、かつ、ａ、ｂ及びｃは、１．０≦ａ＋ｂ＋ｃ≦４．０を満たす。）
下記式（ｃ−５）で表される化合物又はその塩、
【化１１】
2020122091.tif 000045
・・・（ｃ−５）
の１種又は２種以上を含む、第３インクと、
を備えたインクセット。
【請求項２】
請求項１において、
前記第１インクは、下記式（ｙ−２）で表される化合物又はその塩をさらに含む、インクセット。
【化１２】
2020122091.tif 000046
・・・（ｙ−２）
【請求項３】
請求項１又は請求項２において、
前記第２インクは、式（ｍ−２）で表される化合物又はその塩を含む、インクセット。
【請求項４】
請求項１ないし請求項３のいずれか一項において、
前記第３インクは、式（ｃ−２）で表される化合物又はその塩と、式（ｃ−３）で表される化合物又はその塩と、を含む、インクセット。
【発明の詳細な説明】
【技術分野】
【０００１】
本発明は、インクセットに関する。
【背景技術】
【０００２】
インクジェット法により画像を記録するために、各種のインクセットが用いられている。インクセットに含まれるインクは、それぞれ種々の成分を含有しており、所望の色の画像を得るために、例えば、染料、顔料等の着色剤を含有している。
【０００３】
インクセットに用いられるインクは、使用される用途や環境に適した性能が求められる。例えば、環境中に存在するオゾンや、環境中の水分等によるダメージを受けにくく、インクにより記録された画像の変色や退色等を生じないようにすることが要求される。
【０００４】
このような画像の変色や退色は、インクに含まれる着色剤に起因することが多いため、インクに含まれる着色剤の改良が進められている。例えば、特許文献１には、特定の染料を含有するイエロー系インクを用いることにより、色再現性、耐湿性及び耐ガス性に優れ、かつ、色バランスに優れた画像を記録することが提案されている。
【先行技術文献】
【特許文献】
【０００５】
【特許文献１】特開２０１３−１１２７２９号公報
【発明の概要】
【発明が解決しようとする課題】
【０００６】
インクジェットに用いられるインクは、インクジェットヘッドのノズルにおいて、メニスカスを形成する。そのため、インクジェット装置の使用中、停止中のいずれにおいても、ノズル先端付近でインクに含まれる水分が蒸発することがある。特許文献１に記載されたイエロー系の染料は親水性が高く、インク中での染料の溶解性がインクの水分量の変化により敏感であった。そのため、インクジェットヘッドの目詰まりを生じやすいという問題があった。したがって、色再現性が良好で、かつ、目詰まりを生じにくいインクセットが必要である。
【課題を解決するための手段】
【０００７】
本発明に係るインクセットの一態様は、
下記式（ｙ−１）で表される化合物又はその塩を含む第１インクと、
【０００８】
【化１】
2020122091.tif 000002
・・・（ｙ−１）
【０００９】
下記式（ｍ−１）で表される化合物又はその塩、
【００１０】
【化２】
2020122091.tif 000003
・・・（ｍ−１）
【００１１】
下記式（ｍ−２）で表される化合物又はその塩、
【００１２】
【化３】
2020122091.tif 000004
・・・（ｍ−２）
【００１３】
下記式（ｍ−３）で表される化合物又はその塩、及び、
【００１４】
【化４】
2020122091.tif 000005
・・・（ｍ−３）
【００１５】
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は下記式（ｍ−３’）で表されるアシルアミノ基を表し、Ｒ２、Ｒ４、Ｒ７及びＲ９の少なくとも１つは下記式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
【００１６】
【化５】
2020122091.tif 000006
・・・（ｍ−３’）
【００１７】
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
【００１８】
下記式（ｍ−４）で表される化合物又はその塩、
【００１９】
【化６】
2020122091.tif 000007
・・・（ｍ−４）
【００２０】
の１種又は２種以上を含む、第２インクと、
【００２１】
下記式（ｃ−１）で表される化合物又はその塩、
【００２２】
【化７】
2020122091.tif 000008
・・・（ｃ−１）
【００２３】
（式（ｃ−１）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
【００２４】
下記式（ｃ−２）で表される化合物又はその塩、
【００２５】
【化８】
2020122091.tif 000009
・・・（ｃ−２）
【００２６】
下記式（ｃ−３）で表される化合物又はその塩、
【００２７】
【化９】
2020122091.tif 000010
・・・（ｃ−３）
下記式（ｃ−４）で表される化合物又はその塩、及び、
【００２８】
【化１０】
2020122091.tif 000011
・・・（ｃ−４）
【００２９】
（式（ｃ−４）中、環Ａ、Ｂ、Ｃ、及びＤはそれぞれ独立に芳香性を有する６員環であり、かつ、環Ａ、Ｂ、Ｃ、及びＤの少なくともひとつはピリジン環又はピラジン環である。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる置換基を１乃至４個有してもよい。Ｙはヒドロキシ基又はアミノ基である。ａは、０．０≦ａ≦２．０を満たし、ｂは、０．０≦ｂ≦３．０を満たし、ｃは、０．１≦ｃ≦３．０を満たし、かつ、ａ、ｂ及びｃは、１．０≦ａ＋ｂ＋ｃ≦４．０を満たす。）
【００３０】
下記式（ｃ−５）で表される化合物又はその塩、
【００３１】
【化１１】
2020122091.tif 000012
・・・（ｃ−５）
【００３２】
の１種又は２種以上を含む、第３インクと、
を備える。
【００３３】
上記インクセットの態様において、
前記第１インクは、下記式（ｙ−２）で表される化合物又はその塩をさらに含んでもよい。
【００３４】
【化１２】
2020122091.tif 000013
・・・（ｙ−２）
【００３５】
上記インクセットの何れかの態様において、
前記第２インクは、式（ｍ−２）で表される化合物又はその塩を含んでもよい。
【００３６】
上記インクセットの何れかの態様において、
前記第３インクは、式（ｃ−２）で表される化合物又はその塩と、式（ｃ−３）で表される化合物又はその塩と、を含んでもよい。
【発明を実施するための形態】
【００３７】
以下に本発明の実施形態について説明する。以下に説明する実施形態は、本発明の例を説明するものである。本発明は以下の実施形態になんら限定されるものではなく、本発明の要旨を変更しない範囲において実施される各種の変形形態も含む。なお以下で説明される構成の全てが本発明の必須の構成であるとは限らない。
【００３８】
１．インクセット
本実施形態のインクセットは、第１インクと、第２インクと、第３インクと、を備える。インクセットは、その他のインクを備えてもよい。
【００３９】
１．１．第１インク
本実施形態のインクセットには、第１インクが備えられる。インクセットに備えられる第１インクは、例えば、イエローの染料インクとしてインクセットに備えられる。
【００４０】
第１インクは、下記式（ｙ−１）で表される化合物又はその塩を含む。
【００４１】
【化１３】
2020122091.tif 000014
（ｙ−１）
【００４２】
式（ｙ−１）では、４つのスルホン酸基を含むが、それらはそれぞれ独立にスルホン酸塩の形態であってもよい。式（ｙ−１）で表される化合物の塩のカウンターイオンとしては、水素イオン（プロトン）、リチウム、ナトリウム、カリウム、アンモニウム等が挙げられ、４つのスルホン酸基におけるカウンターイオンは同じでも異なってもよい。式（ｙ−１）で表される化合物又はその塩は、イエロー系の染料である。以下、「式（ｙ−１）で表される化合物又はその塩」を、単に「（ｙ−１）染料」という場合がある。
【００４３】
発明者らは、イエロー系の染料インクを種々検討した結果、（ｙ−１）染料を用いたインクは、インクジェットヘッドのノズルの目詰まりを生じにくいことを見出した。このような現象が生じるメカニズムの詳細は未だ不明であるが、（ｙ−１）染料のトリアジン環に結合する３−メチル−４−ヒドロキシ−アミノ基の疎水性が影響していると発明者らは推定している。
【００４４】
また、（ｙ−１）染料は、他のイエロー系の染料に比較して発色性が良好である。そのため本実施形態のインクセットに第１インクが含まれることにより、Ｇａｍｕｔ体積等により表される色再現範囲を広くすることができる。
【００４５】
１．２．２．その他の染料
第１インクは、上記（ｙ−１）染料の他に、下記式（ｙ−２）で表される化合物又はその塩をさらに含んでもよい。
【００４６】
【化１４】
2020122091.tif 000015
・・・（ｙ−２）
【００４７】
式（ｙ−２）では、４つのカルボキシ基を含むが、それらはそれぞれ独立にカルボン酸塩の形態であってもよい。式（ｙ−２）で表される化合物の塩のカウンターイオンとしては、水素イオン（プロトン）、リチウム、ナトリウム、カリウム、アンモニウム等が挙げられ、４つのカルボキシ基におけるカウンターイオンは同じでも異なってもよい。式（ｙ−２）で表される化合物又はその塩は、イエロー系の染料である。以下、「式（ｙ−２）で表される化合物又はその塩」を、単に「（ｙ−２）染料」という場合がある。
【００４８】
また、第１インクは、上記（ｙ−１）染料の他に、下記式（ｙ−３）で表される染料をさらに含んでもよい。
【００４９】
【化１５】
2020122091.tif 000016
・・・（ｙ−３）
【００５０】
式（ｙ−３）では、４つのカルボキシ基を含むが、それらはそれぞれ独立にカルボン酸塩の形態であってもよい。式（ｙ−３）で表される化合物の塩のカウンターイオンとしては、水素イオン（プロトン）、リチウム、ナトリウム、カリウム、アンモニウム等が挙げられ、４つのカルボキシ基におけるカウンターイオンは同じでも異なってもよい。式（ｙ−３）で表される化合物又はその塩は、イエロー系の染料である。以下、「式（ｙ−３）で表される化合物又はその塩」を、単に「（ｙ−３）染料」という場合がある。
【００５１】
第１インクは、（ｙ−２）染料及び（ｙ−３）染料から選ばれる染料を１種又は２種以上含んでもよい。しかしこの場合には、第１インクにおける（ｙ−１）染料の含有量が、第１インクに含まれる染料の全量に対して、４０．０質量％以上９９．０質量％以下であることが好ましく、５０．０質量％以上９０．０質量％以下であることがより好ましく、６０．０質量％以上９０．０質量％以下であることがさらに好ましい。
【００５２】
上述の（ｙ−１）染料は、イエロー系の色を呈するが、わずかに赤色に偏っている。これに対して（ｙ−２）染料、（ｙ−３）染料は、イエロー系であってわずかに緑色に偏っている。そのため、これらの染料を第１インクが含むことにより、インクセットの色表現範囲をさらに広げることができる。
【００５３】
なお、第１インクには、その他のイエロー系の染料が含まれてもよいが、色表現範囲を広げるという効果は小さいと考えられる。第１インクに、その他のイエロー系の染料が含まれる場合においても、第１インクにおける（ｙ−１）染料の含有量が、第１インクに含まれる染料の全量に対して、４０．０質量％以上９９．０質量％以下とすることが好ましい。
【００５４】
１．１．２．その他の成分
本実施形態の第１インクは、界面活性剤、有機溶剤、水、その他の成分を含有してもよい。
【００５５】
（１）界面活性剤
第１インクは、界面活性剤を含有してもよい。界面活性剤は、第１インクの表面張力を低下させ記録媒体や下地との濡れ性を向上させる機能を備える。界面活性剤の中でも、アセチレングリコール系界面活性剤、シリコーン系界面活性剤、及びフッ素系界面活性剤を好ましく用いることができる。
【００５６】
アセチレングリコール系界面活性剤としては、特に限定されないが、例えば、サーフィノール１０４、１０４Ｅ、１０４Ｈ、１０４Ａ、１０４ＢＣ、１０４ＤＰＭ、１０４ＰＡ、１０４ＰＧ−５０、１０４Ｓ、４２０、４４０、４６５、４８５、ＳＥ、ＳＥ−Ｆ、５０４、６１、ＤＦ３７、ＣＴ１１１、ＣＴ１２１、ＣＴ１３１、ＣＴ１３６、ＴＧ、ＧＡ、ＤＦ１１０Ｄ（以上全て商品名、エア・プロダクツ＆ケミカルズ社製）、オルフィンＢ、Ｙ、Ｐ、Ａ、ＳＴＧ、ＳＰＣ、Ｅ１００４、Ｅ１０１０、ＰＤ−００１、ＰＤ−００２Ｗ、ＰＤ−００３、ＰＤ−００４、ＥＸＰ．４００１、ＥＸＰ．４０３６、ＥＸＰ．４０５１、ＡＦ−１０３、ＡＦ−１０４、ＡＫ−０２、ＳＫ−１４、ＡＥ−３（以上全て商品名、日信化学工業社製）、アセチレノールＥ００、Ｅ００Ｐ、Ｅ４０、Ｅ１００（以上全て商品名、川研ファインケミカル社製）が挙げられる。
【００５７】
シリコーン系界面活性剤としては、特に限定されないが、ポリシロキサン系化合物が好ましく挙げられる。当該ポリシロキサン系化合物としては、特に限定されないが、例えばポリエーテル変性オルガノシロキサンが挙げられる。当該ポリエーテル変性オルガノシロキサンの市販品としては、例えば、ＢＹＫ−３０６、ＢＹＫ−３０７、ＢＹＫ−３３３、ＢＹＫ−３４１、ＢＹＫ−３４５、ＢＹＫ−３４６、ＢＹＫ−３４８（以上商品名、ビックケミー・ジャパン社製）、ＫＦ−３５１Ａ、ＫＦ−３５２Ａ、ＫＦ−３５３、ＫＦ−３５４Ｌ、ＫＦ−３５５Ａ、ＫＦ−６１５Ａ、ＫＦ−９４５、ＫＦ−６４０、ＫＦ−６４２、ＫＦ−６４３、ＫＦ−６０２０、Ｘ−２２−４５１５、ＫＦ−６０１１、ＫＦ−６０１２、ＫＦ−６０１５、ＫＦ−６０１７（以上商品名、信越化学工業社製）が挙げられる。
【００５８】
フッ素系界面活性剤としては、フッ素変性ポリマーを用いることが好ましく、具体例としては、ＢＹＫ−３４４０（ビックケミー・ジャパン社製）、サーフロンＳ−２４１、Ｓ−２４２、Ｓ−２４３（以上商品名、ＡＧＣセイミケミカル社製）、フタージェント２１５Ｍ（ネオス社製）等が挙げられる。
【００５９】
第１インクに界面活性剤を含有させる場合には、複数種を含有させてもよい。第１インクに界面活性剤を含有させる場合の含有量は、全質量に対して、好ましくは０．１質量％以上２．０質量％以下、さらに好ましくは０．２質量％以上１．５質量％以下、より好ましくは、０．３質量％以上１．０質量％以下である。
【００６０】
（２）有機溶剤
第１インクは、有機溶剤を含有してもよい。第１インクは、有機溶剤を含有しなくてもよいが、有機溶剤を含有することにより、乾燥性と吐出安定性の両立がより容易となる。有機溶剤は水溶性の有機溶剤であることが好ましい。
【００６１】
有機溶剤の機能の一つは、記録媒体に対する第１インクの濡れ性を向上させることや、第１インクの保湿性を高めることが挙げられる。有機溶剤としては、エステル類、アルキレングリコールエーテル類、環状エステル類、含窒素溶剤、多価アルコール等を挙げることができる。含窒素溶剤としては環状アミド類、非環状アミド類などを挙げることができる。非環状アミド類としてはアルコキシアルキルアミド類などが挙げられる。
【００６２】
エステル類としては、エチレングリコールモノメチルエーテルアセテート、エチレングリコールモノエチルエーテルアセテート、エチレングリコールモノブチルエーテルアセテート、ジエチレングリコールモノメチルエーテルアセテート、ジエチレングリコールモノエチルエーテルアセテート、ジエチレングリコールモノブチルエーテルアセテート、
プロピレングリコールモノメチルエーテルアセテート、ジプロピレングリコールモノメチルエーテルアセテート、メトキシブチルアセテート、等のグリコールモノアセテート類、エチレングリコールジアセテート、ジエチレングリコールジアセテート、プロピレングリコールジアセテート、ジプロピレングリコールジアセテート、エチレングリコールアセテートプロピオネート、エチレングリコールアセテートブチレート、ジエチレングリコールアセテートブチレート、ジエチレングリコールアセテートプロピオネート、ジエチレングリコールアセテートブチレート、プロピレングリコールアセテートプロピオネート、プロピレングリコールアセテートブチレート、ジプロピレングリコールアセテートブチレート、ジプロピレングリコールアセテートプロピオネート、等のグリコールジエステル類が挙げられる。
【００６３】
アルキレングリコールエーテル類としては、アルキレングリコールのモノエーテル又はジエーテルであればよく、アルキルエーテルが好ましい。具体例としては、エチレングリコールモノメチルエーテル、エチレングリコールモノエチルエーテル、エチレングリコールモノイソプロピルエーテル、エチレングリコールモノブチルエーテル、ジエチレングリコールモノメチルエーテル、ジエチレングリコールモノエチルエーテル、ジエチレングリコールモノブチルエーテル、トリエチエレングリコールモノメチルエーテル、トリエチレングリコールモノエチルエーテル、トリエチレングリコールモノブチルエーテル、テトラエチレングリコールモノメチルエーテル、テトラエチレングリコールモノエチルエーテル、テトラエチレングリコールモノブチルエーテル、プロピレングリコールモノメチルエーテル、プロピレングリコールモノエチルエーテル、プロピレングリコールモノプロピルエーテル、プロピレングリコールモノブチルエーテル、ジプロピレングリコールモノメチルエーテル、ジプロピレングリコールモノエチルエーテル、ジプロピレングリコールモノプロピルエーテル、ジプロピレングリコールモノブチルエーテル、トリプロピレングリコールモノブチルエーテル等のアルキレングリコールモノアルキルエーテル類、及び、エチレングリコールジメチルエーテル、エチレングリコールジエチルエーテル、エチレングリコールジブチルエーテル、ジエチレングリコールジメチルエーテル、ジエチレングリコールジエチルエーテル、ジエチレングリコールジブチルエーテル、ジエチレングリコールメチルエチルエーテル、ジエチレングリコールメチルブチルエーテル、トリエチレングリコールジメチルエーテル、トリエチレングリコールジエチルエーテル、トリエチレングリコールジブチルエーテル、トリエチレングリコールメチルブチルエーテル、テトラエチレングリコールジメチルエーテル、テトラエチレングリコールジエチルエーテル、テトラエチレングリコールジブチルエーテル、プロピレングリコールジメチルエーテル、プロピレングリコールジエチルエーテル、ジプロピレングリコールジメチルエーテル、ジプロピレングリコールジエチルエーテル、トリプロピレングリコールジメチルエーテル等のアルキレングリコールジアルキルエーテル類が挙げられる。
【００６４】
環状エステル類としては、β−プロピオラクトン、γ−ブチロラクトン、δ−バレロラクトン、ε−カプロラクトン、β−ブチロラクトン、β−バレロラクトン、γ−バレロラクトン、β−ヘキサノラクトン、γ−ヘキサノラクトン、δ−ヘキサノラクトン、β−ヘプタノラクトン、γ−ヘプタノラクトン、δ−ヘプタノラクトン、ε−ヘプタノラクトン、γ−オクタノラクトン、δ−オクタノラクトン、ε−オクタノラクトン、δ−ノナラクトン、ε−ノナラクトン、ε−デカノラクトン等の環状エステル類（ラクトン類）、並びに、それらのカルボニル基に隣接するメチレン基の水素が炭素数１〜４のアルキル基によって置換された化合物を挙げることができる。
【００６５】
アルコキシアルキルアミド類としては、例えば、３−メトキシ−Ｎ，Ｎ−ジメチルプロピオンアミド、３−メトキシ−Ｎ，Ｎ−ジエチルプロピオンアミド、３−メトキシ−Ｎ，Ｎ−メチルエチルプロピオンアミド、３−エトキシ−Ｎ，Ｎ−ジメチルプロピオンアミド、３−エトキシ−Ｎ，Ｎ−ジエチルプロピオンアミド、３−エトキシ−Ｎ，Ｎ−メチルエチルプロピオンアミド、３−ｎ−ブトキシ−Ｎ，Ｎ−ジメチルプロピオンアミド、３−ｎ−ブトキシ−Ｎ，Ｎ−ジエチルプロピオンアミド、３−ｎ−ブトキシ−Ｎ，Ｎ−メチルエチルプロピオンアミド、３−ｎ−プロポキシ−Ｎ，Ｎ−ジメチルプロピオンアミド、３−ｎ−プロポキシ−Ｎ，Ｎ−ジエチルプロピオンアミド、３−ｎ−プロポキシ−Ｎ，Ｎ−メチルエチルプロピオンアミド、３−ｉｓｏ−プロポキシ−Ｎ，Ｎ−ジメチルプロピオンアミド、３−ｉｓｏ−プロポキシ−Ｎ，Ｎ−ジエチルプロピオンアミド、３−ｉｓｏ−プロポキシ−Ｎ，Ｎ−メチルエチルプロピオンアミド、３−ｔｅｒｔ−ブトキシ−Ｎ，Ｎ−ジメチルプロピオンアミド、３−ｔｅｒｔ−ブトキシ−Ｎ，Ｎ−ジエチルプロピオンアミド、３−ｔｅｒｔ−ブトキシ−Ｎ，Ｎ−メチルエチルプロピオンアミド、等を例示することができる。
【００６６】
環状アミド類としては、ラクタム類が挙げられ、例えば、２−ピロリドン、１−メチル−２−ピロリドン、１−エチル−２−ピロリドン、１−プロピル−２−ピロリドン、１−ブチル−２−ピロリドン、等のピロリドン類などが挙げられる。これらは後述する樹脂粒子の皮膜化を促進させる点で好ましく、特に２−ピロリドンがより好ましい。
【００６７】
また、非環状アミド類として、下記式（１）で表される化合物であるアルコキシアルキルアミド類を用いることも好ましい。
【００６８】
Ｒ１−Ｏ−ＣＨ２ＣＨ２−（Ｃ＝Ｏ）−ＮＲ２Ｒ３    ・・・（１）
【００６９】
上記式（１）中、Ｒ１は、炭素数１以上４以下のアルキル基を示し、Ｒ２及びＲ３は、それぞれ独立にメチル基又はエチル基を示す。「炭素数１以上４以下のアルキル基」は、直鎖状又は分岐状のアルキル基であることができ、例えば、メチル基、エチル基、ｎ−プロピル基、ｉｓｏ−プロピル基、ｎ−ブチル基、ｓｅｃ−ブチル基、ｉｓｏ−ブチル基、ｔｅｒｔ−ブチル基であることができる。上記式（１）で表される化合物は、１種単独で用いてもよいし、２種以上混合して用いてもよい。
【００７０】
多価アルコールとしては、１，２−アルカンジオール（例えば、エチレングリコール、プロピレングリコール（別名：プロパン−１，２−ジオール）、トリエチレングリコール、１，２−ブタンジオール、１，２−ペンタンジオール、１，２−ヘキサンジオール、１，２−ヘプタンジオール、１，２−オクタンジオール等のアルカンジオール類）、１，２−アルカンジオールを除く多価アルコール（ポリオール類）（例えば、ジエチレングリコール、ジプロピレングリコール、１，３−プロパンジオール、１，３−ブタンジオール（別名：１，３−ブチレングリコール）、１，４−ブタンジオール、１，５−ペンタンジオール、１，６−ヘキサンジオール、２−エチル−２−メチル−１，３−プロパンジオール、２−メチル−２−プロピル−１，３−プロパンジオール、２−メチル−１，３−プロパンジオール、２，２−ジメチル−１，３−プロパンジオール、３−メチル−１，３−ブタンジオール、２−エチル−１，３−ヘキサンジオール、３−メチル−１，５−ペンタンジオール、２−メチルペンタン−２，４−ジオール、トリメチロールプロパン、グリセリン等）等が挙げられる。
【００７１】
第１インクは、上記例示した有機溶剤を一種単独で用いてもよいし、二種以上を併用してもよい。第１インクに有機溶剤を配合する場合、第１インク全体に対する有機溶剤の合計の含有量は、３．０質量％以上３０．０質量％以下、好ましくは５．０質量％以上２５．０質量％以下、より好ましくは１０．０質量％以上２０．０質量％以下である。
【００７２】
（３）水
第１インクは、水を含有してもよい。第１インクは水系であることが好ましい。水系とは主要な溶媒成分の１つとして水を含有する組成物である。水は主となる溶媒成分として含んでもよく、乾燥により蒸発飛散する成分である。水は、イオン交換水、限外濾過水、逆浸透水、蒸留水等の純水又は超純水のようなイオン性不純物を極力除去したものであることが好ましい。また、紫外線照射又は過酸化水素添加等により滅菌した水を用いると、第１インクを長期保存する場合にカビやバクテリアの発生を抑制できるので好適である。水の含有量は第１インクの総量に対して好ましくは７５．０質量％以上であり、より好ましくは８０．０質量％以上９８質量％以下であり、さらに好ましくは８５．０質量％以上９５．０質量％以下である。
【００７３】
（４）その他
第１インクは、その他の成分として、ｐＨ調整剤、防かび剤・防腐剤、キレート化剤、防錆剤、防黴剤、酸化防止剤、還元防止剤、蒸発促進剤等を含有してもよい。
【００７４】
ｐＨ調整剤としては、例えば、尿素類、アミン類、モルホリン類、ピペラジン類、２種以上である等のアミノアルコール類、を例示できる。尿素類としては、尿素、エチレン尿素、テトラメチル尿素、チオ尿素、１，３−ジメチル−２−イミダゾリジノン等、及び、ベタイン類（トリメチルグリシン、トリエチルグリシン、トリプロピルグリシン、トリイソプロピルグリシン、Ｎ，Ｎ，Ｎ−トリメチルアラニン、Ｎ，Ｎ，Ｎ−トリエチルアラニン、Ｎ，Ｎ，Ｎ−トリイソプロピルアラニン、Ｎ，Ｎ，Ｎ−トリメチルメチルアラニン、カルニチン、アセチルカルニチン等）等が挙げられる。アミン類としては、ジエタノールアミン、２種以上である、トリイソプロパノールアミン等が挙げられる。ｐＨ調整剤を含有することにより、例えば、インク流路を形成する部材からの不純物の溶出を抑制したり、促進したりすることができ、第１インクの洗浄性を調節することができる。
【００７５】
防かび剤・防腐剤としては、プロキセルＣＲＬ、プロキセルＢＤＮ、プロキセルＧＸＬ、プロキセルＸＬ２、プロキセルＩＢ、又はプロキセルＴＮ（いずれも商品名、Ｌｏｎｚａ社製）などを挙げることができる。防かび剤・防腐剤を含有することにより、カビや細菌の増殖を抑制することができ、第１インクの保存性がより良好となる。
【００７６】
キレート化剤としては、例えば、エチレンジアミン四酢酸塩（ＥＤＴＡ）や、エチレンジアミンのニトリロトリ酢酸塩、ヘキサメタリン酸塩、ピロリン酸塩、又はメタリン酸塩等が挙げられる。
【００７７】
１．２．第２インク
本実施形態のインクセットには、第２インクが備えられる。インクセットに備えられる第２インクは、例えば、マゼンタの染料インクとしてインクセットに備えられる。第２インクは、マゼンタ系の染料を含有する。
【００７８】
１．２．１．マゼンタ系の染料
本実施形態の第２インクは、マゼンタ系の染料として、
下記式（ｍ−１）で表される化合物又はその塩、
【００７９】
【化１６】
2020122091.tif 000017
・・・（ｍ−１）
【００８０】
下記式（ｍ−２）で表される化合物又はその塩、
【００８１】
【化１７】
2020122091.tif 000018
・・・（ｍ−２）
【００８２】
下記式（ｍ−３）で表される化合物又はその塩、
【００８３】
【化１８】
2020122091.tif 000019
・・・（ｍ−３）
【００８４】
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は下記式（ｍ−３’）で表されるアシルアミノ基を表し、Ｒ２、Ｒ４、Ｒ７及びＲ９の少なくとも１つは下記式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
【００８５】
【化１９】
2020122091.tif 000020
・・・（ｍ−３’）
【００８６】
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
【００８７】
及び、
【００８８】
下記式（ｍ−４）で表される化合物又はその塩、
【００８９】
【化２０】
2020122091.tif 000021
（ｍ−４）
【００９０】
から選択される１種又は２種以上を含む。
【００９１】
式（ｍ−１）で表される化合物の塩のカウンターイオンとしては、水素イオン（プロトン）、リチウム、ナトリウム、カリウム、アンモニウム等が挙げられ、４つのカルボキシ基、２つのスルホン酸基におけるカウンターイオンは同じでも異なってもよい。式（ｍ−１）で表される化合物又はその塩は、マゼンタ系の染料である。以下、「式（ｍ−１）で表される化合物又はその塩」を、単に「（ｍ−１）染料」という場合がある。
【００９２】
式（ｍ−２）で表される化合物の塩のカウンターイオンとしては、水素イオン（プロトン）、リチウム、ナトリウム、カリウム、アンモニウム等が挙げられ、４つのカルボキシ基、６つのスルホン酸基におけるカウンターイオンは同じでも異なってもよい。式（ｍ−２）で表される化合物又はその塩は、マゼンタ系の染料である。以下、「式（ｍ−２）で表される化合物又はその塩」を、単に「（ｍ−２）染料」という場合がある。
【００９３】
式（ｍ−３）で表される化合物の塩のカウンターイオンとしては、水素イオン（プロトン）、リチウム、ナトリウム、カリウム、アンモニウム等が挙げられる。式（ｍ−３）で表される化合物又はその塩は、マゼンタ系の染料である。以下、「式（ｍ−３）で表される化合物又はその塩」を、単に「（ｍ−３）染料」という場合がある。
【００９４】
式（ｍ−４）で表される化合物の塩のカウンターイオンとしては、水素イオン（プロトン）、リチウム、ナトリウム、カリウム、アンモニウム等が挙げられ、４つのスルホン酸基におけるカウンターイオンは同じでも異なってもよい。式（ｍ−４）で表される化合物又はその塩は、マゼンタ系の染料である。以下、「式（ｍ−４）で表される化合物又はその塩」を、単に「（ｍ−４）染料」という場合がある。
【００９５】
第２インクには、その他のマゼンタ系の染料が含まれてもよい。その他のマゼンタ系の染料としては、Ｃ．Ｉ．ダイレクトレッド１、４、９、８０、８１、２２５、Ｃ．Ｉ．アシッドレッド５２、８０、８２、２２７、２４９、２５４、２８９等が挙げられる。
【００９６】
なお、色表現範囲の大きさの点で、第２インクに、その他のマゼンタ系の染料が含まれる場合においても、第２インクにおける（ｍ−１）〜（ｍ−４）染料の合計の含有量が、第２インクに含まれる染料の全量に対して、４０．０質量％以上９９．０質量％以下とすることが好ましい。
【００９７】
１．２．２．その他の成分
本実施形態の第２インクは、界面活性剤、有機溶剤、水、その他の成分を含有してもよい。これらの成分は、上記第１インクの項で述べたと同様であるので、説明を省略する。
【００９８】
１．３．第３インク
本実施形態のインクセットには、第３インクが備えられる。インクセットに備えられる第３インクは、例えば、シアンの染料インクとしてインクセットに備えられる。第３インクは、シアン系の染料を含有する。
【００９９】
１．２．１．シアン系の染料
本実施形態の第３インクは、シアン系の染料として、
下記式（ｃ−１）で表される化合物又はその塩、
【０１００】
【化２１】
2020122091.tif 000022
（ｃ−１）
【０１０１】
（式（ｃ−１）中、ｂは、０≦ｂ≦４を満たし、ｃは、０≦ｃ≦４を満たし、ｂ＋ｃは、１≦（ｂ＋ｃ）≦４を満たす整数を表し、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよい。）
【０１０２】
下記式（ｃ−２）で表される化合物又はその塩、
【０１０３】
【化２２】
2020122091.tif 000023
・・・（ｃ−２）
【０１０４】
下記式（ｃ−３）で表される化合物又はその塩、
【０１０５】
【化２３】
2020122091.tif 000024
・・・（ｃ−３）
【０１０６】
下記式（ｃ−４）で表される化合物又はその塩、及び、
【０１０７】
【化２４】
2020122091.tif 000025
・・・（ｃ−４）
【０１０８】
（式（ｃ−４）中、環Ａ、Ｂ、Ｃ、及びＤはそれぞれ独立に芳香性を有する６員環であり、かつ、環Ａ、Ｂ、Ｃ、及びＤの少なくともひとつはピリジン環又はピラジン環である。Ｅはアルキレン基である。Ｘは、スルホ置換アニリノ基、カルボキシ置換アニリノ基、又はホスホノ置換アニリノ基であり、該置換アニリノ基はさらに、スルホン酸基、カルボキシ基、ホスホノ基、スルファモイル基、カルバモイル基、ヒドロキシ基、アルコキシ基、アミノ基、アルキルアミノ基、ジアルキルアミノ基、アリールアミノ基、ジアリールアミノ基、アセチルアミノ基、ウレイド基、アルキル基、ニトロ基、シアノ基、ハロゲン、アルキルスルホニル基、及びアルキルチオ基からなる群から選ばれる置換基を１乃至４個有してもよい。Ｙはヒドロキシ基又はアミノ基である。ａは、０．０≦ａ≦２．０を満たし、ｂは、０．０≦ｂ≦３．０を満たし、ｃは、０．１≦ｃ≦３．０を満たし、かつ、ａ、ｂ及びｃは、１．０≦ａ＋ｂ＋ｃ≦４．０を満たす。）
【０１０９】
下記式（ｃ−５）で表される化合物又はその塩、
【０１１０】
【化２５】
2020122091.tif 000026
・・・（ｃ−５）
【０１１１】
から選択される１種又は２種以上を含む。
【０１１２】
式（ｃ−１）で表される化合物の塩のカウンターイオンとしては、水素イオン（プロトン）、リチウム、ナトリウム、カリウム、アンモニウム等が挙げられ、スルホン酸基におけるカウンターイオンは同じでも異なってもよい。式（ｃ−１）で表される化合物又はその塩は、シアン系の染料である。以下、「式（ｃ−１）で表される化合物又はその塩」を、単に「（ｃ−１）染料」という場合がある。
【０１１３】
式（ｃ−２）で表される化合物の塩のカウンターイオンとしては、水素イオン（プロトン）、リチウム、ナトリウム、カリウム、アンモニウム等が挙げられ、４つのスルホン酸基におけるカウンターイオンは同じでも異なってもよい。式（ｃ−２）で表される化合物又はその塩は、シアン系の染料である。以下、「式（ｃ−２）で表される化合物又はその塩」を、単に「（ｃ−２）染料」という場合がある。
【０１１４】
式（ｃ−３）で表される化合物の塩のカウンターイオンとしては、水素イオン（プロトン）、リチウム、ナトリウム、カリウム、アンモニウム等が挙げられ、２つのスルホン酸基におけるカウンターイオンは同じでも異なってもよい。式（ｃ−３）で表される化合物又はその塩は、シアン系の染料である。以下、「式（ｃ−３）で表される化合物又はその塩」を、単に「（ｃ−３）染料」という場合がある。
【０１１５】
式（ｃ−４）で表される化合物の塩のカウンターイオンとしては、水素イオン（プロトン）、リチウム、ナトリウム、カリウム、アンモニウム等が挙げられる。式（ｃ−４）で表される化合物又はその塩は、シアン系の染料である。以下、「式（ｃ−４）で表される化合物又はその塩」を、単に「（ｃ−４）染料」という場合がある。
【０１１６】
式（ｃ−５）で表される化合物の塩のカウンターイオンとしては、水素イオン（プロトン）、リチウム、ナトリウム、カリウム、アンモニウム等が挙げられ、３つのスルホン酸基におけるカウンターイオンは同じでも異なってもよい。式（ｃ−５）で表される化合物又はその塩は、シアン系の染料である。以下、「式（ｃ−５）で表される化合物又はその塩」を、単に「（ｃ−５）染料」という場合がある。
【０１１７】
第３インクには、その他のシアン系の染料が含まれてもよい。その他のシアン系の染料としては、Ｃ．Ｉ．ダイレクトブルー１、２、１５、７１、８６、８７、９８、１６５、１９９、２０２等が挙げられる。
【０１１８】
なお、色表現範囲の大きさの点で、第３インクに、その他のシアン系の染料が含まれる場合においても、第３インクにおける（ｃ−１）〜（ｃ−５）染料の合計の含有量が、第２インクに含まれる染料の全量に対して、４０．０質量％以上９９．０質量％以下とすることが好ましい。
【０１１９】
１．２．２．その他の成分
本実施形態の第３インクは、界面活性剤、有機溶剤、水、その他の成分を含有してもよい。これらの成分は、上記第１インクの項で述べたと同様であるので、説明を省略する。
【０１２０】
１．３．インクの物性等
第１インク、第２インク及び第３インクは、紙、フィルム、布帛等の記録媒体にインクジェット法により付着されることが好ましい。そのため、各インクの粘度は、２０℃において、１．５ｍＰａ・ｓ以上１５．０ｍＰａ・ｓ以下とすることが好ましく、１．５ｍＰａ・ｓ以上５．０ｍＰａ・ｓ以下とすることがより好ましく、１．５ｍＰａ・ｓ以上３．６ｍＰａ・ｓ以下とすることがより好ましい。各インクが、インクジェット法によって記録媒体に付着される場合、所定の画像を効率的に形成することが容易である。
【０１２１】
第１インク、第２インク及び第３インクは、記録媒体への濡れ拡がり性を適切なものとする観点から、２５．０℃における表面張力が、４０．０ｍＮ／ｍ以下、好ましくは３８．０ｍＮ／ｍ以下、より好ましくは３５．０ｍＮ／ｍ以下、さらに好ましくは３０．０ｍＮ／ｍ以下であることが好ましい。なお、表面張力の測定は、自動表面張力計ＣＢＶＰ−Ｚ（協和界面科学社製）を用いて、２５．０℃の環境下で白金プレートを組成物で濡らしたときの表面張力を確認することにより測定することができる。
【０１２２】
２．実施例及び比較例
以下、本発明を実施例によって具体的に説明するが、本発明はこれらの実施例に限定されるものではない。以下、「部」「％」は、特に記載のない限り、質量基準である。
【０１２３】
２．１．染料インクの調製
表１に示す材料組成にて、材料組成の異なるイエロー染料インクＹ１〜Ｙ１５、表２に示す材料組成にて、材料組成の異なるマゼンタ染料インクＭ１〜Ｍ９、表３に示す材料組成にて、材料組成の異なるシアン染料インクＣ１〜Ｃ９を調製した。各インクは、表１〜表３に示す材料を容器中に入れ、マグネチックスターラーにて２時間撹拌混合した後、孔径５μｍのメンブランフィルターにて濾過してゴミや粗大粒子等の不純物を除去することにより調製した。なお、表１〜表４中の数値は、全て質量％を示し、純水はインクの全質量が１００質量％となるように添加した。
【０１２４】
【表１】
2020122091.tif 000027
【０１２５】
【表２】
2020122091.tif 000028
【０１２６】
【表３】
2020122091.tif 000029
【０１２７】
表１〜表３中の主な材料は以下の通りである。
・（ｙ−１）〜（ｙ−３）：それぞれ上記（ｙ−１）染料〜（ｙ−３）染料であり、ナトリウム塩を用いた。
・（ｙ−４）は、下記式（ｙ−４）で表される化合物を用いた。
【０１２８】
【化２６】
2020122091.tif 000030
（ｙ−４）
【０１２９】
・（ｙ−５）は、下記式（ｙ−５）で表される化合物を用いた。
【０１３０】
【化２７】
2020122091.tif 000031
（ｙ−５）
【０１３１】
・（ｍ−１）〜（ｍ−３）：それぞれ上記（ｍ−１）染料〜（ｍ−３）染料であり、（ｍ−１）についてはナトリウム塩、（ｍ−２）についてはナトリウム及びアンモニウムの塩、（ｍ−３）についてはナトリウム塩を用いた。
【０１３２】
また、（ｍ−３）については、
（式（ｍ−３）中、Ｒ１、Ｒ５、Ｒ６及びＲ１０は、それぞれ独立に、アルキル基を表す。Ｒ３及びＲ８は、それぞれ独立に、水素原子、アルキル基、アルコキシ基、又はアリールオキシ基を表し、アルキル基、アルコキシ基、及びアリールオキシ基は、アルキル基、アリール基、アリールアルキル基、ヒドロキシル基、カルバモイル基、スルファモイル基、アルコキシ基、シアノ基、ハロゲン原子、及びイオン性基からなる置換基群より選択される少なくとも１種の置換基を有していてもよい。Ｒ２、Ｒ４、Ｒ７及びＲ９は、それぞれ独立に、水素原子、又は式（ｍ−３’）で表されるアシルアミノ基を表し、Ｒ２、Ｒ４、Ｒ７及びＲ９の少なくとも１つは式（ｍ−３’）で表されるアシルアミノ基である。Ｚは、ＳＯ３Ｈ基、ＳＯ３Ｍ基（Ｍはアンモニウムイオン又はアルカリ金属イオンを表す）、又はスルファモイル基を表す。Ｒ２、Ｒ３、Ｒ４、Ｒ７、Ｒ８及びＲ９の少なくとも１つが、イオン性基で置換されている場合には、ｎは０乃至３の整数を表し、イオン性基で置換されていない場合には、ｎは１ないし３の整数を表し、Ｚが存在する場合は芳香環の少なくとも１つの水素原子の位置に置換している。）
（式（ｍ−３’）中、Ｒ１１は、アルキル基、シクロアルキル基、アリール基、アリールアルキル基、アルケニル基、又はヘテロ環基を表し、アルキル基、シクロアルキル基、アリール基、アリールアルキル基、アルケニル基、及びヘテロ環基は、アルキル基、アリール基、アリールアルキル基、アルケニル基、アルコキシ基、シアノ基、アルキルアミノ基、スルホアルキル基、カルバモイル基、スルファモイル基、スルホニルアミノ基、ハロゲン原子、及びイオン性基からなる置換基群より選択される少なくとも１種の置換基を有していてもよい。＊は式（ｍ−３）の芳香環との結合部位を表す。）
を満たすものとした。
・（ｍ−４）は、上記（ｍ−４）染料のリチウム塩を用いた。
・（ｍ−５）は、下記式（ｍ−５）で表される化合物を用いた。
【０１３３】
【化２８】
2020122091.tif 000032
（ｍ−５）
【０１３４】
（ｍ−５）については、
（式（ｍ−５）において、ｎ１は、１又は２であり、３つのＭは、それぞれ、ナトリウム又はアンモニウムであり、３つのＭは同一でも異なっていてもよく、Ｒ０は、カルボキシ基で置換された炭素原子数１〜８のモノアルキルアミノ基である。）
を満たすものとした。
・（ｃ−１）〜（ｃ−５）：それぞれ上記（ｃ−１）染料〜（ｃ−５）染料であり、（ｃ−１）〜（ｃ−３）についてはナトリウムの塩を用いた。
・（ｃ−６）は、下記式（ｃ−６）で表される化合物を用いた。
【０１３５】
【化２９】
2020122091.tif 000033
（ｃ−６）
【０１３６】
（ｃ−６）については、
（式（ｃ−６）中、環Ａ１、Ａ２及びＡ３は、それぞれ、ベンゼン環、２，３−ピリジン環及び３，２−ピリジン環から選択され、かつ、環Ａ１、Ａ２及びＡ３の少なくとも一つは、２，３−ピリジン環又は３，２−ピリジン環であり、環Ａ１、Ａ２及びＡ３は同一でも異なっていてもよく、ａは、１．０≦ａ≦３．０を満たし、ｂは、０．２≦ｂ≦１．８を満たし、ｃは、０．８≦ｃ≦１．６を満たし、かつ、ａ、ｂ及びｃは、０≦ａ＋ｂ＋ｃ≦４を満たし、ｘは、１≦ｚ≦３を満たす整数であり、Ｒ１は、炭素原子数１以上６以下の直鎖アルキレン基である。）
を満たすものとした。
【０１３７】
・サーフィノール１０４ＰＧ５０：（商品名、エア・プロダクツ＆ケミカルズ社製）：アセチレングリコール系界面活性剤
・オルフィンＥ１０１０：（商品名、日信化学工業社製）：アセチレングリコール系界面活性剤
・プロキセル：プロキセルＸＬ２：（商品名、Ｌｏｎｚａ社製）：防かび剤・防腐剤
・ＥＤＴＡ：エチレンジアミン四酢酸２ナトリウム（試薬）：キレート化剤
【０１３８】
２．２．評価方法
２．２．１．各インクセットの発色性（色再現範囲（Ｇａｍｕｔ））の評価
表４に示す各例のインクセットをインクジェットプリンター（商品名「ＥＷ−Ｍ６６０ＦＴ」、セイコーエプソン株式会社製）に装填し、普通紙（Ｘｅｒｏｘ  ４２００：商品名、富士ゼロックス社製）に単色／二次色のパッチを印刷後、ＯＤ値、Ｌａｂを測色し、Ｇａｍｕｔ体積を計算した。印刷環境は、２５℃、４０％ＲＨとした。以下の評価基準で判断し、表４に評価結果を記載した。
【０１３９】
Ａ：ガマット体積値が１６００００以上
Ｂ：ガマット体積値が１５５０００以上１６００００未満
Ｃ：ガマット体積値が１５００００以上１５５０００未満
Ｄ：ガマット体積値が１５００００未満
【０１４０】
２．２．５．各インクセットの目詰まり回復性（目詰まり耐性）の評価
表１〜表３に示す各インクセットをインクジェットプリンター（商品名「ＥＷ−Ｍ６６０ＦＴ」、セイコーエプソン株式会社製）に装填し、印刷途中に電源を切り、インクジェットヘッドがキャッピングされていない状態で環境放置を実施した。４０℃、４０％ＲＨの環境で１週間放置後に、正常吐出するまでのクリーニング必要数をカウントした。以下の基準で評価して、結果を表４に記載した。
Ａ：１回
Ｂ：２回
Ｃ：３回
Ｄ：４回
【０１４１】
【表４】
2020122091.tif 000034
【０１４２】
２．３．評価結果
表４に示されるように、式（ｙ−１）染料を含むイエローインク（第１インク）と、（ｍ−１）染料、（ｍ−２）染料、（ｍ−３）染料、及び、（ｍ−４）染料の１種又は２種以上を含む、マゼンタインク（第２インク）と、（ｃ−１）染料、（ｃ−２）染料、（ｃ−３）染料、（ｃ−４）染料、及び、（ｃ−５）染料の１種又は２種以上を含む、シアンインク（第３インク）と、を備えた各実施例のインクセットでは、発色性（Ｇａｍｕｔ体積）が高く、かつ、目詰まり回復性が良好であった。
【０１４３】
本発明は、上述した実施形態に限定されるものではなく、種々の変形が可能である。例えば、本発明は、実施形態で説明した構成と実質的に同一の構成（例えば、機能、方法及び結果が同一の構成、あるいは目的及び効果が同一の構成）を含む。また、本発明は、実施形態で説明した構成の本質的でない部分を置き換えた構成を含む。また、本発明は、実施形態で説明した構成と同一の作用効果を奏する構成又は同一の目的を達成することができる構成を含む。また、本発明は、実施形態で説明した構成に公知技術を付加した構成を含む。